(57)【要約】【課題】測位用の端末を複数のユーザで共用する場合に、ユーザが自分の個人識別子を端末に入力する操作を行うことなく、ユーザの位置情報を収集できるようにする。【解決手段】ユーザ識別装置において、ユーザが対象エリアに入室する際に入室登録の操作を行わせるとともに、ユーザが対象エリアから退室する際に退室登録の操作を行わせ、サーバにおいて、入室登録の操作に応じてユーザ識別装置から送信される入室通知（端末識別子、個人識別子および入室時刻を含む）を受信し、端末から送信される測位結果通知（位置情報、測位時刻および端末識別子を含む）を受信し、退室登録の操作に応じてユーザ識別装置から送信される退室通知（端末識別子、個人識別子および退室時刻を含む）を受信し、入室時刻および退室時刻に基づいて、測位時刻に端末を所持するユーザを特定して、測位時刻ごとの位置情報にユーザを紐付ける。【選択図】図３
2018194517.tif 000002
【特許請求の範囲】
【請求項１】
測位を行う端末装置をユーザに所持させて、対象エリアにおけるユーザの位置情報を収集する管理装置であって、
前記端末装置、およびユーザを識別するユーザ識別装置と通信を行う通信部と、
制御部と、
を備え、
前記通信部は、
ユーザが前記対象エリアに入室する際に、前記ユーザ識別装置から送信される端末識別子、個人識別子および入室時刻を受信し、
前記端末装置から送信される位置情報、測位時刻および端末識別子を受信し、
前記制御部は、
前記入室時刻に基づいて、前記測位時刻において前記端末装置を所持するユーザを特定して、測位時刻ごとの前記位置情報にユーザを紐付けて管理することを特徴とする管理装置。
【請求項２】
前記通信部は、
ユーザが前記対象エリアから退室する際に、前記ユーザ識別装置から送信される端末識別子、個人識別子および退室時刻を受信し、
前記制御部は、
前記入室時刻および前記退室時刻に基づいて、前記測位時刻において前記端末装置を所持するユーザを特定して、測位時刻ごとの前記位置情報にユーザを紐付けて管理することを特徴とする請求項１に記載の管理装置。
【請求項３】
前記制御部は、
入室時刻を受信した際に、同一の前記端末装置を使用した前回のユーザの退室時刻が未受信である場合には、今回のユーザの入室時刻より前に前回のユーザが退室したものとみなして、前回のユーザの退室時刻を設定することを特徴とする請求項２に記載の管理装置。
【請求項４】
前記制御部は、
退室時刻を受信した際に、その退室時刻の端末識別子および個人識別子と、記憶済みの入室時刻の端末識別子および個人識別子と、が整合しない場合には、前記ユーザ識別装置に異常情報を送信することを特徴とする請求項１から請求項３のいずれかに記載の管理装置。
【請求項５】
ユーザの測位時刻ごとの位置情報を記憶する記憶部と、
前記記憶部に蓄積されたユーザの位置情報および測位時刻に基づいて、ユーザの軌跡や、所定エリアの滞在頻度を分析する分析処理部と、
を備えることを特徴とする請求項１から請求項４のいずれかに記載の管理装置。
【請求項６】
測位を行う端末装置をユーザに所持させて、対象エリアにおけるユーザの位置情報を収集する位置情報収集システムであって、
前記端末装置と、ユーザ識別装置と、管理装置と、を備え、
前記ユーザ識別装置は、
ユーザが前記対象エリアに入室する際に、端末識別子、個人識別子および入室時刻を取得する制御部と、
入室時に取得した端末識別子、個人識別子および入室時刻を前記管理装置に送信する通信部と、
を備え、
前記管理装置は、
前記ユーザ識別装置から送信される端末識別子、個人識別子および入室時刻を受信し、
前記端末装置から送信される位置情報、測位時刻および端末識別子を受信する通信部と、
前記入室時刻に基づいて、前記測位時刻において前記端末装置を所持するユーザを特定して、測位時刻ごとの前記位置情報にユーザを紐付けて管理する制御部と、
を備えることを特徴とする位置情報収集システム。
【請求項７】
前記ユーザ識別装置の前記制御部は、
ユーザが前記対象エリアから退室する際に、端末識別子、個人識別子および退室時刻を取得し、
前記ユーザ識別装置の前記通信部は、
退室時に取得した端末識別子、個人識別子および退室時刻を前記管理装置に送信し、
前記管理装置の通信部は、
前記ユーザ識別装置から送信される端末識別子、個人識別子および退室時刻を受信し、
前記管理装置の前記制御部は、
前記入室時刻および前記退室時刻に基づいて、前記測位時刻において前記端末装置を所持するユーザを特定して、測位時刻ごとの前記位置情報にユーザを紐付けて管理することを特徴とする請求項６に記載の位置情報収集システム。
【請求項８】
測位を行う端末装置をユーザに所持させて、対象エリアにおけるユーザの位置情報を収集する位置情報収集方法であって、
ユーザ識別装置において、
ユーザが前記対象エリアに入室する際に、端末識別子、個人識別子および入室時刻を管理装置に送信し、
前記管理装置において、
前記ユーザ識別装置から送信される端末識別子、個人識別子および入室時刻を受信し、
前記端末装置から送信される位置情報、測位時刻および端末識別子を受信し、
前記入室時刻に基づいて、前記測位時刻において前記端末装置を所持するユーザを特定して、測位時刻ごとの前記位置情報にユーザを紐付けることを特徴とする位置情報収集方法。
【請求項９】
前記ユーザ識別装置において、
ユーザが前記対象エリアから退室する際に、端末識別子、個人識別子および退室時刻を前記管理装置に送信し、
前記管理装置において、
前記ユーザ識別装置から送信される端末識別子、個人識別子および退室時刻を受信し、
前記入室時刻および前記退室時刻に基づいて、前記測位時刻において前記端末装置を所持するユーザを特定して、測位時刻ごとの前記位置情報にユーザを紐付けることを特徴とする請求項８に記載の位置情報収集方法。
【発明の詳細な説明】
【技術分野】
【０００１】
本発明は、測位を行う端末装置をユーザに所持させて、対象エリアにおけるユーザの位置情報を収集する管理装置、位置情報収集システム、および位置情報収集方法に関するものである。
【背景技術】
【０００２】
人物が所持する端末の位置情報を収集して、その端末の位置情報を利用した種々のサービスを提供するシステムが普及している。このようなシステムでは、不特定多数の人物の行動を把握する他に、工場などの施設で個人の行動を把握したいという要望がある。この場合、端末を所持する人物を特定することで、個人の位置情報を収集することができる。
【０００３】
このような個人の位置情報を収集する技術として、従来、端末で各時刻の位置情報を取得して、その各時刻の位置情報と端末ＩＤとをサーバに送信し、サーバにおいて、ユーザＩＤと端末ＩＤとを対応付ける情報に基づいて、ユーザの位置情報を収集するようにした技術が知られている（特許文献１参照）。また、端末で取得した各時刻の位置情報を端末からサーバに送信するとともに、ユーザが自分のユーザＩＤを端末に入力して、そのユーザＩＤを端末からサーバに送信することで、サーバがユーザの位置情報を収集するようにした技術が知られている（特許文献２参照）。
【先行技術文献】
【特許文献】
【０００４】
【特許文献１】特許第５１６６３２６号公報
【特許文献２】特許第４６９５０４６号公報
【発明の概要】
【発明が解決しようとする課題】
【０００５】
さて、工場などの施設で個人の位置情報を収集する場合、ユーザに１台ずつ端末を貸し出すようにすると、特許文献１に開示された技術のように、ユーザＩＤと端末ＩＤとを対応付ける情報をサーバに保持させればよいが、ユーザ数が多くなると、端末のコストが嵩むという問題があった。
【０００６】
一方、交代制の工場などでは、同時に勤務するユーザの人数分だけ端末を用意して、端末を複数のユーザで共用するようにすると、端末のコストを削減することができる。この場合、特許文献２に開示された技術のように、ユーザが、自分が所持する端末に自分のユーザＩＤを入力すればよいが、ユーザの操作が面倒になるなどの問題があった。
【０００７】
そこで、本発明は、測位用の端末装置を複数のユーザで共用する場合に、ユーザが自分の個人識別子を端末装置に入力する操作を行うことなく、ユーザの位置情報を収集することができる管理装置、位置情報収集システム、位置情報収集方法を提供することを主な目的とする。
【課題を解決するための手段】
【０００８】
本発明の管理装置は、測位を行う端末装置をユーザに所持させて、対象エリアにおけるユーザの位置情報を収集する管理装置であって、前記端末装置、およびユーザを識別するユーザ識別装置と通信を行う通信部と、制御部と、を備え、前記通信部は、ユーザが前記対象エリアに入室する際に、前記ユーザ識別装置から送信される端末識別子、個人識別子および入室時刻を受信し、前記端末装置から送信される位置情報、測位時刻および端末識別子を受信し、前記制御部は、前記入室時刻に基づいて、前記測位時刻において前記端末装置を所持するユーザを特定して、測位時刻ごとの前記位置情報にユーザを紐付けて管理する構成とする。
【０００９】
また、本発明の位置情報収集システムは、測位を行う端末装置をユーザに所持させて、対象エリアにおけるユーザの位置情報を収集する位置情報収集システムであって、前記端末装置と、ユーザ識別装置と、管理装置と、を備え、前記ユーザ識別装置は、ユーザが前記対象エリアに入室する際に、端末識別子、個人識別子および入室時刻を取得する制御部と、入室時に取得した端末識別子、個人識別子および入室時刻を前記管理装置に送信する通信部と、を備え、前記管理装置は、前記ユーザ識別装置から送信される端末識別子、個人識別子および入室時刻を受信し、前記端末装置から送信される位置情報、測位時刻および端末識別子を受信する通信部と、前記入室時刻に基づいて、前記測位時刻において前記端末装置を所持するユーザを特定して、測位時刻ごとの前記位置情報にユーザを紐付けて管理する制御部と、を備える構成とする。
【００１０】
また、本発明の位置情報収集方法は、測位を行う端末装置をユーザに所持させて、対象エリアにおけるユーザの位置情報を収集する位置情報収集方法であって、ユーザ識別装置において、ユーザが前記対象エリアに入室する際に、端末識別子、個人識別子および入室時刻を管理装置に送信し、前記管理装置において、前記ユーザ識別装置から送信される端末識別子、個人識別子および入室時刻を受信し、前記端末装置から送信される位置情報、測位時刻および端末識別子を受信し、前記入室時刻に基づいて、前記測位時刻において前記端末装置を所持するユーザを特定して、測位時刻ごとの前記位置情報にユーザを紐付ける構成とする。
【発明の効果】
【００１１】
本発明によれば、測位時刻ごとの位置情報にユーザを紐付けることで、ユーザの位置情報を取得することができる。これにより、測位用の端末装置を複数のユーザで共用する場合に、ユーザが自分の個人識別子を端末装置に入力する操作を行うことなく、ユーザの位置情報を収集することができる。
【図面の簡単な説明】
【００１２】
【図１】本実施形態に係る位置情報収集システムの全体構成図
【図２】工場の建物内の作業室を、位置情報収集の対象エリアとした例を示す説明図
【図３】本システムで行われる処理の概要を示すシーケンス図
【図４】端末１の概略構成を示すブロック図
【図５】ユーザ識別装置２の概略構成を示すブロック図
【図６】サーバ５の概略構成を示すブロック図
【図７】測位結果通知の内容を示す説明図
【図８】端末位置管理テーブルの内容を示す説明図
【図９】位置情報送受信時における端末１およびサーバ５の処理手順を示すフロー図
【図１０】ユーザ識別装置２に表示される入退室登録画面を示す説明図
【図１１】ユーザ識別装置２に表示されるメッセージボックスを示す説明図
【図１２】入室通知および退室通知の内容を示す説明図
【図１３】入退室管理テーブルの内容を示す説明図
【図１４】退室みなし処理前の入退室管理テーブル、入室通知、および退室みなし処理後の入退室管理テーブルの内容を示す説明図
【図１５】入室時におけるユーザ識別装置２およびサーバ５の処理手順を示すフロー図
【図１６】入室修正処理の際にユーザ識別装置２に表示されるメッセージボックスおよび入力ボックスを示す説明図
【図１７】退室時におけるユーザ識別装置２およびサーバ５の処理手順を示す説明図
【図１８】紐付け処理後の端末位置管理テーブルを示す説明図
【図１９】サーバ５の紐付け部７５で行われる紐付け処理の手順を示すフロー図
【図２０】閲覧装置６に表示される画面を示す説明図
【図２１】閲覧装置６に表示される画面を示す説明図
【発明を実施するための形態】
【００１３】
前記課題を解決するためになされた第１の発明は、測位を行う端末装置をユーザに所持させて、対象エリアにおけるユーザの位置情報を収集する管理装置であって、前記端末装置、およびユーザを識別するユーザ識別装置と通信を行う通信部と、制御部と、を備え、前記通信部は、ユーザが前記対象エリアに入室する際に、前記ユーザ識別装置から送信される端末識別子、個人識別子および入室時刻を受信し、前記端末装置から送信される位置情報、測位時刻および端末識別子を受信し、前記制御部は、前記入室時刻に基づいて、前記測位時刻において前記端末装置を所持するユーザを特定して、測位時刻ごとの前記位置情報にユーザを紐付けて管理する構成とする。
【００１４】
これによると、測位時刻ごとの位置情報にユーザを紐付けることで、ユーザの位置情報を取得することができる。これにより、測位用の端末装置を複数のユーザで共用する場合に、ユーザが自分の個人識別子を端末装置に入力する操作を行うことなく、ユーザの位置情報を収集することができる。
【００１５】
また、第２の発明は、前記通信部は、ユーザが前記対象エリアから退室する際に、前記ユーザ識別装置から送信される端末識別子、個人識別子および退室時刻を受信し、前記制御部は、前記入室時刻および前記退室時刻に基づいて、前記測位時刻において前記端末装置を所持するユーザを特定して、測位時刻ごとの前記位置情報にユーザを紐付けて管理する構成とする。
【００１６】
これによると、位置情報に対するユーザの紐付けをより的確に行うことができる。
【００１７】
また、第３の発明は、前記制御部は、入室時刻を受信した際に、同一の前記端末装置を使用した前回のユーザの退室時刻が未受信である場合には、今回のユーザの入室時刻より前に前回のユーザが退室したものとみなして、前回のユーザの退室時刻を設定する構成とする。
【００１８】
これによると、同一の端末装置を前回使用したユーザの退室時刻が不明な場合でも、今回のユーザの入室を受け付けることができる。
【００１９】
また、第４の発明は、前記制御部は、退室時刻を受信した際に、その退室時刻の端末識別子および個人識別子と、記憶済みの入室時刻の端末識別子および個人識別子と、が整合しない場合には、前記ユーザ識別装置に異常情報を送信する構成とする。
【００２０】
これによると、ユーザが入室した際に異常があったことをユーザに通知することができる。
【００２１】
また、第５の発明は、ユーザの測位時刻ごとの位置情報を記憶する記憶部と、前記記憶部に蓄積されたユーザの位置情報および測位時刻に基づいて、ユーザの軌跡や、所定エリアの滞在頻度を分析する分析処理部と、を備える構成とする。
【００２２】
これによると、ユーザの軌跡や所定エリアの滞在頻度を管理者が把握することができる。
【００２３】
また、第６の発明は、測位を行う端末装置をユーザに所持させて、対象エリアにおけるユーザの位置情報を収集する位置情報収集システムであって、前記端末装置と、ユーザ識別装置と、管理装置と、を備え、前記ユーザ識別装置は、ユーザが前記対象エリアに入室する際に、端末識別子、個人識別子および入室時刻を取得する制御部と、入室時に取得した端末識別子、個人識別子および入室時刻を前記管理装置に送信する通信部と、を備え、前記管理装置は、前記ユーザ識別装置から送信される端末識別子、個人識別子および入室時刻を受信し、前記端末装置から送信される位置情報、測位時刻および端末識別子を受信する通信部と、前記入室時刻に基づいて、前記測位時刻において前記端末装置を所持するユーザを特定して、測位時刻ごとの前記位置情報にユーザを紐付けて管理する制御部と、を備える構成とする。
【００２４】
これによると、第１の発明と同様に、測位用の端末装置を複数のユーザで共用する場合に、ユーザが自分の個人識別子を端末装置に入力する操作を行うことなく、ユーザの位置情報を収集することができる。
【００２５】
また、第７の発明は、前記ユーザ識別装置の前記制御部は、ユーザが前記対象エリアから退室する際に、端末識別子、個人識別子および退室時刻を取得し、前記ユーザ識別装置の前記通信部は、退室時に取得した端末識別子、個人識別子および退室時刻を前記管理装置に送信し、前記管理装置の通信部は、前記ユーザ識別装置から送信される端末識別子、個人識別子および退室時刻を受信し、前記管理装置の前記制御部は、前記入室時刻および前記退室時刻に基づいて、前記測位時刻において前記端末装置を所持するユーザを特定して、測位時刻ごとの前記位置情報にユーザを紐付けて管理する構成とする。
【００２６】
これによると、位置情報に対するユーザの紐付けをより的確に行うことができる。
【００２７】
また、第８の発明は、測位を行う端末装置をユーザに所持させて、対象エリアにおけるユーザの位置情報を収集する位置情報収集方法であって、ユーザ識別装置において、ユーザが前記対象エリアに入室する際に、端末識別子、個人識別子および入室時刻を管理装置に送信し、前記管理装置において、前記ユーザ識別装置から送信される端末識別子、個人識別子および入室時刻を受信し、前記端末装置から送信される位置情報、測位時刻および端末識別子を受信し、前記入室時刻に基づいて、前記測位時刻において前記端末装置を所持するユーザを特定して、測位時刻ごとの前記位置情報にユーザを紐付ける構成とする。
【００２８】
これによると、第１の発明と同様に、測位用の端末装置を複数のユーザで共用する場合に、ユーザが自分の個人識別子を端末装置に入力する操作を行うことなく、ユーザの位置情報を収集することができる。
【００２９】
また、第９の発明は、前記ユーザ識別装置において、ユーザが前記対象エリアから退室する際に、端末識別子、個人識別子および退室時刻を前記管理装置に送信し、前記管理装置において、前記ユーザ識別装置から送信される端末識別子、個人識別子および退室時刻を受信し、前記入室時刻および前記退室時刻に基づいて、前記測位時刻において前記端末装置を所持するユーザを特定して、測位時刻ごとの前記位置情報にユーザを紐付ける構成とする。
【００３０】
これによると、位置情報に対するユーザの紐付けをより的確に行うことができる。
【００３１】
以下、本発明の実施の形態を、図面を参照しながら説明する。
【００３２】
図１は、本実施形態に係る位置情報収集システムの全体構成図である。
【００３３】
この位置情報収集システムは、工場などの施設の建物内（対象エリア）に滞在する人物の位置情報を収集するものであり、端末１（端末装置）と、ユーザ識別装置２（入退室管理装置）と、ビーコン発信機３と、アクセスポイント４と、サーバ５（管理装置）と、閲覧装置６と、を備えている。
【００３４】
端末１は、アクセスポイント４を介してサーバ５と通信を行い、端末ＩＤ（端末識別子）、位置情報および測位時刻を含む測位結果通知をサーバ５に送信する。なお、端末１は、位置情報収集専用の装置として構成する他に、スマートフォンなどの携帯端末に位置情報収集用のアプリケーションプログラムをインストールするようにしてもよい。
【００３５】
この端末１は、１人のユーザが所持する。この端末１は、交代で勤務する複数のユーザで共用され、ユーザが入室する際にユーザに端末１を貸し出し、ユーザが退室する際に端末１を返却する。
【００３６】
ユーザ識別装置２は、建物内（対象エリア）の出入り口近傍に配置され、対象エリアに入室または退室するユーザを識別する。ここでは、入退室登録画面（図１０参照）を表示して、ユーザが入室することを登録する入室登録（入場登録）の操作と、ユーザが退室することを登録する退室登録（退場登録）の操作とを、ユーザに行わせるものとして説明する。このユーザ識別装置２は、ＰＣで構成され、ウェブブラウザのアプリケーションプログラムがインストールされ、サーバ５から提供される表示情報に基づいて、ウェブブラウザで入退室登録画面を表示する。
【００３７】
また、ユーザ識別装置２は、入退室登録画面でユーザが入室登録の操作を行うと、端末ＩＤおよびユーザＩＤ（個人識別子）と入室時刻とを含む入室通知をサーバ５に送信し、入退室登録画面でユーザが退室登録の操作を行うと、端末ＩＤおよびユーザＩＤと退室時刻とを含む退室通知をサーバ５に送信する。
【００３８】
ビーコン発信機３は、建物内に設置され、Bluetooth（登録商標）などによる測位用のビーコン信号を送信する。このビーコン信号は端末１で受信し、ビーコン信号に基づく測位が端末１で行われる。
【００３９】
アクセスポイント４は、建物内に設置され、端末１とサーバ５との間の通信を中継する。
【００４０】
サーバ５は、建物内に滞在するユーザの位置情報を収集する。このサーバ５は、ネットワークおよびアクセスポイント４を介して、端末１と通信を行い、端末１から送信される測位結果通知を受信する。また、ネットワークを介して、ユーザ識別装置２と通信を行い、ユーザ識別装置２から送信される入室通知および退室通知を受信する。
【００４１】
また、サーバ５は、端末１から測位結果通知を受信すると、その測位結果通知に含まれる端末ＩＤ、位置情報および測位時刻を端末位置管理テーブルに登録する。また、サーバ５は、ユーザ識別装置２から入室通知を受信すると、その入室通知に含まれる端末ＩＤ、ユーザＩＤおよび入室時刻を入退室管理テーブル（図１３参照）に登録し、ユーザ識別装置２から退室通知を受信すると、その退室通知に含まれる端末ＩＤ、ユーザＩＤおよび退室時刻を入退室管理テーブルに登録する。また、サーバ５は、入退室管理テーブルの登録内容に基づいて、端末位置管理テーブルの位置情報にユーザＩＤを紐付けて、ユーザの位置情報を取得する。
【００４２】
また、サーバ５は、取得したユーザの位置情報に基づいて、ユーザの行動に関する分析処理を行う。
【００４３】
閲覧装置６は、ＰＣやタブレット端末などであり、サーバ５から提供される分析結果を管理者が閲覧する。
【００４４】
次に、ユーザ識別装置２、ビーコン発信機３およびアクセスポイント４の設置状況、およびユーザの入室時の行動について説明する。図２は、工場の建物内の作業室を、位置情報収集の対象エリアとした例を示す説明図である。
【００４５】
工場の建物内には、ユーザが作業を行う作業室（対象エリア）が設けられている。この作業室内には、ビーコン発信機３およびアクセスポイント４が設置されている。ビーコン発信機３は、作業室のどの位置でも端末１がビーコン信号を受信できるように所要の間隔をおいて複数設置されている。アクセスポイント４は、設置数がビーコン発信機３より少なく、端末１がアクセスポイント４に接続できない場合がある。
【００４６】
ユーザは、作業室に入室する際に、作業室の出入口の近傍に設置された端末収納棚１１に載置された端末１を所持して、作業室の出入口の近傍に設置されたユーザ識別装置２で、各自のユーザＩＤと自分が所持する端末１の端末ＩＤを入力する入室登録の操作を行う。また、ユーザは端末１をサーバ５にログインする操作を行う。
【００４７】
また、ユーザは、作業室から退室した際に、端末１をサーバ５からログアウトする操作を行い、ユーザ識別装置２で退室登録の操作を行い、端末１を端末収納棚１１に返却する。
【００４８】
次に、本システムで行われる処理の概要について説明する。図３は、本システムで行われる処理の概要を示すシーケンス図である。
【００４９】
本システムでは、まず、ユーザが作業室に入室する際に、ユーザ識別装置２に入退室登録画面（図１０参照）を表示して、この入退室登録画面でユーザに入室登録の操作を行わせる。そして、入室登録の操作で取得した端末ＩＤおよびユーザＩＤと入室時刻とを含む入室通知が、ユーザ識別装置２からサーバ５に送信される。サーバ５では、入室通知を受信すると、その入室通知の情報を入退室管理テーブル（図１３参照）に登録する処理が行われる。
【００５０】
次に、ユーザが端末１でログインの操作を行うと、端末ＩＤを含むログイン要求が端末１からサーバ５に送信され、許可通知がサーバ５から端末１に送信される。そして、ユーザが作業室内に滞在している間、端末１から測位結果通知（位置情報を含む）をサーバ５に送信する処理が定期的に繰り返され、サーバ５では、測位結果通知を受信する度に、測位結果通知の情報を端末位置管理テーブル（図８参照）に登録する処理が繰り返される。
【００５１】
次に、ユーザが作業室から退室する際に、ユーザ識別装置２に入退室登録画面を表示して、この入退室登録画面でユーザに退室登録の操作を行わせる。そして、退室登録の操作で取得した端末ＩＤおよびユーザＩＤと退室時刻とを含む退室通知が、ユーザ識別装置２からサーバ５に送信される。サーバ５では、退室通知を受信すると、その退室通知の情報を入退室管理テーブルに登録する処理が行われる。
【００５２】
次に、サーバ５では紐付け処理が行われる。この紐付け処理では、ユーザの滞在期間（入室時刻から退室時刻までの期間）と測位時刻とを比較して、端末ＩＤに対応するユーザＩＤを特定して、端末位置管理テーブルに登録された位置情報にユーザＩＤを紐付ける。
【００５３】
具体的には、図１３の入退室管理テーブルを参照すると、入室時刻と退室時刻の間の期間において、Terminal001の端末ＩＤの端末を、User001のユーザＩＤのユーザが使用したことがわかるので、図８の端末位置管理テーブルの測位時刻が上記の入室時刻と退室時刻の間の期間に含まれるTerminal001の端末の使用者をUser001のユーザに紐付け、Terminal001の端末ＩＤをUser001のユーザＩＤに置換する。そして、ユーザＩＤに置換した場合は、端末位置管理テーブルの置換情報を示す「置換」を「済」に変更する。なお、端末位置管理テーブルに、「端末ＩＤ」と「ユーザＩＤ」の両方を設けて、紐付けがされたユーザＩＤを登録するようにしてもよい。この場合は、置換情報は不要となる。
【００５４】
以上の処理は、システムの終了要求があるまで繰り返される。なお、図３では、１人のユーザに関する処理を示しているが、作業室には複数のユーザが入室するため、各ユーザに関する処理が並行して行われる。
【００５５】
次に、端末１の概略構成について説明する。図４は、端末１の概略構成を示すブロック図である。
【００５６】
端末１は、ビーコン受信部２１と、通信部２２と、制御部２３と、記憶部２４と、操作入力部２５と、を備えている。
【００５７】
ビーコン受信部２１は、ビーコン発信機３から送信されるビーコン信号を受信する。
【００５８】
通信部２２は、アクセスポイント４およびネットワークを介して、サーバ５と通信を行う。
【００５９】
記憶部２４は、制御部２３を構成するプロセッサで実行されるプログラムを記憶する。また、記憶部２４は、端末ＩＤや、制御部２３で取得した位置情報および測位時刻を記憶する。
【００６０】
制御部２３は、測位部３１と、ログイン処理部３２と、通知制御部３３と、を備えている。この制御部２３は、プロセッサで構成され、制御部２３の各部は、記憶部２４に記憶されたプログラムをプロセッサで実行することで実現される。
【００６１】
測位部３１は、ビーコン受信部２１で受信したビーコン信号の電波強度に基づいて、自装置の位置情報を取得する。
【００６２】
ログイン処理部３２は、ユーザによる操作入力部２５の操作に応じて、端末１をサーバ５にログインさせる処理を行い、端末ＩＤを含むログイン要求を通信部２２からサーバ５に送信し、許可通知をサーバ５から通信部２２で受信する。
【００６３】
通知制御部３３は、端末１がサーバ５と通信できる状態では、測位部３１で取得した位置情報を含む測位結果通知を通信部２２からサーバ５に送信する。一方、端末１がサーバ５と通信を行うことができない状態では、測位部３１で取得した各時刻の位置情報を記憶部２４に蓄積する。そして、端末１がサーバ５と通信を行うことができる状態になると、記憶部２４に蓄積された各時刻の位置情報を含む測位結果通知を通信部２２からサーバ５に送信する。
【００６４】
次に、ユーザ識別装置２の概略構成について説明する。図５は、ユーザ識別装置２の概略構成を示すブロック図である。
【００６５】
ユーザ識別装置２は、通信部４１と、制御部４２と、記憶部４３と、表示部４４と、操作入力部４５と、を備えている。
【００６６】
通信部４１は、ネットワークを介して、サーバ５と通信を行う。
【００６７】
記憶部４３は、制御部４２を構成するプロセッサで実行されるプログラムを記憶する。
【００６８】
表示部４４は、入退室登録画面（図１０（Ａ）参照）を表示する。操作入力部４５は、ユーザが入退室登録画面で入室登録および退室登録の操作を行う。なお、表示部４４としての表示パネルと操作入力部４５としてのタッチパネルとを組み合わせたタッチパネルディスプレイとしてもよい。
【００６９】
制御部４２は、登録制御部５１と、通知制御部５２と、を備えている。この制御部４２は、プロセッサで構成され、制御部４２の各部は、記憶部４３に記憶されたプログラムをプロセッサで実行することで実現される。
【００７０】
登録制御部５１は、通信部４１でサーバ５から受信した端末リスト情報（ユーザに貸し出しされる端末の端末ＩＤのリスト）およびユーザリスト情報（端末を貸与されるユーザのユーザＩＤのリスト）を取得して、その端末リスト情報およびユーザリスト情報に基づいて、入退室登録画面（図１０（Ａ）参照）を表示部４４に表示する。
【００７１】
また、登録制御部５１は、操作入力部４５を用いてユーザが入退室登録画面で入室登録および退室登録の操作を行うと、端末リストおよびユーザリストの選択情報、すなわち、ユーザが選択した端末ＩＤおよびユーザＩＤを取得し、また、入退室の選択情報、すなわち、入室および退室の別を表す情報を取得する。
【００７２】
通知制御部５２は、登録制御部５１で入室の選択情報を取得すると、登録制御部５１で取得した端末ＩＤおよびユーザＩＤと、現在時刻（入室時刻）とを含む入室通知を通信部４１からサーバ５に送信する。また、登録制御部５１で退室の選択情報を取得すると、登録制御部５１で取得した端末ＩＤ、ユーザＩＤ、および現在時刻（入室時刻）を含む退室通知を通信部４１からサーバ５に送信する。
【００７３】
次に、サーバ５の概略構成について説明する。図６は、サーバ５の概略構成を示すブロック図である。
【００７４】
サーバ５は、通信部６１と、制御部６２と、記憶部６３と、を備えている。
【００７５】
通信部６１は、ネットワークを介して、端末１、ユーザ識別装置２、および閲覧装置６と通信を行う。
【００７６】
記憶部６３は、制御部６２を構成するプロセッサで実行されるプログラムを記憶する。また、記憶部６３は、システムに登録された端末１を列挙した端末リスト情報、およびシステムに登録されたユーザ（例えば従業員）を列挙したユーザリストに関するユーザリスト情報を記憶する。また、記憶部６３は、端末位置管理テーブル（図８参照）、および入退室管理テーブル（図１３参照）を記憶する。
【００７７】
制御部６２は、リスト提供部７１と、入退室管理部７２と、ログイン制御部７３と、端末位置管理部７４と、紐付け部７５と、分析処理部７６と、を備えている。この制御部６２は、プロセッサで構成され、制御部６２の各部は、記憶部６３に記憶されたプログラムをプロセッサで実行することで実現される。
【００７８】
リスト提供部７１は、記憶部６３から取得した端末リスト情報およびユーザリスト情報を通信部６１からユーザ識別装置２に送信する。
【００７９】
入退室管理部７２は、通信部６１でユーザ識別装置２から受信した入室通知に含まれる端末ＩＤ、ユーザＩＤ、および入室時刻を入退室管理テーブルに登録する。また、通信部６１でユーザ識別装置２から受信した退室通知に含まれる端末ＩＤ、ユーザＩＤ、および退室時刻を入退室管理テーブルに登録する。
【００８０】
ログイン制御部７３は、端末１のシステムへのログインを制御し、通信部６１で端末１から受信したログイン要求に含まれる端末ＩＤが端末リスト情報に含まれるか否かに基づいてログインの可否を判定し、ログインを許可する場合には、許可通知を通信部６１から端末１に送信する。
【００８１】
端末位置管理部７４は、通信部６１で端末１から受信した測位結果通知（図７（Ａ）、（Ｂ））に含まれる端末ＩＤ、測位時刻、および位置情報（緯度、経度）を端末位置管理テーブルに登録する。
【００８２】
紐付け部７５は、入退室管理テーブル（図１３参照）のユーザの滞在期間（入室時刻から退室時刻までの期間）と端末位置管理テーブル（図８参照）の測位時刻とを比較して、滞在期間内に測位時刻が得られた端末１の端末ＩＤに対応するユーザＩＤを特定して、各時刻の位置情報にユーザＩＤを紐付けて端末位置管理テーブルに登録する。紐付け方法としては、端末位置管理テーブルにユーザＩＤを登録するようにすればよい。
【００８３】
分析処理部７６は、ユーザの軌跡（動線）や、作業室内の対象エリアの滞在頻度などに関する分析処理を行い、分析処理の条件を設定する画面や分析結果を表示する画面に関する表示情報を閲覧装置６に送信する。これにより、条件設定画面や分析結果画面が閲覧装置６に表示される。
【００８４】
次に、端末１からサーバ５に送信される測位結果通知について説明する。図７は、測位結果通知の内容を示す説明図である。
【００８５】
端末１では、測位部３１において自装置の位置情報を取得して、その位置情報を含む測位結果通知をサーバ５に送信する。
【００８６】
このとき、端末１の近くにアクセスポイント４があり、そのアクセスポイント４を経由してサーバ５と通信を行うことができる場合には、随時、すなわち、測位の度に、測位結果通知をサーバ５に送信する。このときの測位結果通知には、図７（Ａ）に示すように、端末ＩＤと、１回分の測位に係る測位時刻および位置情報（緯度および経度）とが含まれる。
【００８７】
一方、端末１の近くにアクセスポイント４がなく、サーバ５と通信を行うことができない場合には、測位部３１で取得した各時刻の位置情報を一時的に記憶部２４に蓄積する。そして、端末１がアクセスポイント４の近くに移動して、そのアクセスポイント４を経由してサーバ５と通信を行うことができる状態になると、記憶部２４に蓄積した各時刻の位置情報を一括してサーバ５に送信する。このときの測位結果通知には、図７（Ｂ）に示すように、端末ＩＤと、複数回の測位に係る測位時刻および位置情報（緯度および経度）とが含まれる。
【００８８】
なお、本実施形態では、位置情報を絶対座標（緯度および経度）としたが、施設内に設定した基準点を基準にした相対座標としてもよい。
【００８９】
次に、サーバ５で管理される端末位置管理テーブルについて説明する。図８は、端末位置管理テーブルの内容を示す説明図である。
【００９０】
サーバ５では、端末１から送信される測位結果通知を受信するのに応じて、測位結果通知に含まれる端末ＩＤ、測位時刻、および位置情報を、端末位置管理テーブルに登録する。端末位置管理テーブルには、ＩＤ、測位時刻、位置情報（緯度および経度）、データ取得時刻、置換情報などが登録されている。なお、端末位置管理テーブルでは、端末１から測位結果通知を受信する度に、その測位結果通知に対応する１つの測位結果レコードが順次追加される。
【００９１】
ＩＤの項目には、初期状態として、測位結果通知に含まれる端末ＩＤが登録され、ユーザＩＤの紐付け処理が行われると、端末ＩＤがユーザＩＤに置き換えられる（図１８参照）。データ取得時刻は、サーバ５が測位結果通知を受信した時刻を表す。置換情報は、端末ＩＤをユーザＩＤに置換する処理（紐付け処理）が終了しているか否かを表し、置換が終了している場合には「済」となり、置換が終了していない場合には「未」となる。
【００９２】
次に、位置情報送受信時における端末１およびサーバ５の処理手順について説明する。図９は、位置情報送受信時の処理手順を示すフロー図である。
【００９３】
端末１では、まず、測位部３１において自装置の位置情報を取得する（ＳＴ１０１）。そして、通知制御部３３において、サーバ５と通信を行うことができるか否かを判定する（ＳＴ１０２）。
【００９４】
ここで、サーバ５と通信を行うことができる場合には（ＳＴ１０２でＹｅｓ）、端末ＩＤと、位置情報および測位時刻とを含む測位結果通知を、通信部２２からサーバ５に送信する（ＳＴ１０４）。
【００９５】
一方、サーバ５と通信を行うことができない場合には（ＳＴ１０２でＮｏ）、位置情報および測位時刻を記憶部２４に蓄積する（ＳＴ１０３）。そして、サーバ５と通信を行うことができる状態になると（ＳＴ１０２でＹｅｓ）、端末ＩＤと、記憶部２４に蓄積した各時刻の位置情報および測位時刻とを含む測位結果通知を、通信部２２からサーバ５に送信する（ＳＴ１０４）。
【００９６】
サーバ５では、端末１から送信される測位結果通知を受信すると（ＳＴ２０１）、その測位結果通知に含まれる端末ＩＤ、位置情報および測位時刻を、端末位置管理テーブルに登録する（ＳＴ２０２）。
【００９７】
次に、ユーザ識別装置２でユーザが行う入室登録および退室登録の操作について説明する。図１０は、ユーザ識別装置２に表示される入退室登録画面を示す説明図である。図１１は、ユーザ識別装置２に表示されるメッセージボックスを示す説明図である。
【００９８】
ユーザ識別装置２では、図１０（Ａ）に示す入退室登録画面が表示部４４に表示される。この入退室登録画面で、ユーザが入室する際に入室登録の操作を行い、また、ユーザが退室する際に退室登録の操作を行う。
【００９９】
この入退室登録画面には、端末選択部８１と、ユーザ選択部８２と、が設けられている。端末選択部８１では、図１０（Ｂ）に示すように、サーバ５から取得した端末リスト情報に基づいて、端末ＩＤを列挙した端末リスト８６がプルダウンメニューで表示され、この端末リスト８６で、自分が使用する端末１の端末ＩＤをユーザが選択する。ユーザ選択部８２では、図１０（Ｃ）に示すように、サーバ５から取得したユーザリスト情報に基づいて、ユーザＩＤ（人物識別情報）を列挙したユーザリスト８７がプルダウンメニューで表示され、このユーザリスト８７で、自分のユーザＩＤをユーザが選択する。
【０１００】
また、入退室登録画面には、「入室」のボタン８３と、「退室」のボタン８４と、が設けられている。入室登録の際には、「入室」のボタン８３を操作し、退室登録の際には、「退室」のボタン８４を操作する。
【０１０１】
なお、本実施形態では、人物識別情報としてのユーザＩＤを表示するようにしたが、ユーザの氏名を表示するようにしてもよい。また、端末リストおよびユーザリストをプルダウンメニューで表示するようにしたが、このような表示形態に限定されるものではない。
【０１０２】
入室登録の際に、ユーザが、端末選択部８１で端末ＩＤを選択するとともにユーザ選択部８２でユーザＩＤを選択した上で、「入室」のボタン８３を操作すると、選択した端末ＩＤおよびユーザＩＤと入室の選択情報と入室時刻とを含む入室通知がサーバ５に送信される。
【０１０３】
サーバ５では、入室通知を受信すると、入室通知に含まれる端末ＩＤおよびユーザＩＤと入室時刻とを入退室管理テーブルに登録する処理が行われる。この処理が正常に終了すると、サーバ５から入室完了通知がユーザ識別装置２に送信され、ユーザ識別装置２では、図１１（Ａ）に示すように、入室登録を受け付ける処理が正常に終了したことを表すメッセージボックス９１が、入退室登録画面（図１０（Ａ）参照）上に表示される。
【０１０４】
また、退室登録の際に、ユーザが、端末選択部８１で端末ＩＤを選択するとともにユーザ選択部８２でユーザＩＤを選択した上で、「退室」のボタン８４を操作すると、選択した端末ＩＤおよびユーザＩＤと退室の選択情報とを含む退室通知がサーバ５に送信される。
【０１０５】
サーバ５では、退室通知を受信すると、退室通知に含まれる端末ＩＤおよびユーザＩＤと退室時刻とを入退室管理テーブルに登録する処理が行われる。この処理が正常に終了すると、サーバ５から退室完了通知がユーザ識別装置２に送信され、ユーザ識別装置２では、図１１（Ｂ）に示すように、退室登録を受け付ける処理が正常に終了したことを表すメッセージボックス９２が、入退室登録画面上に表示される。
【０１０６】
メッセージボックス９１，９２には、ユーザが選択した端末ＩＤおよびユーザＩＤと、入室時刻または退室時刻と、が表示される。これにより、入室登録および退室登録の内容をユーザが確認することができる。
【０１０７】
次に、ユーザ識別装置２からサーバ５に送信される入室通知および退室通知について説明する。図１２は、入室通知および退室通知の内容を示す説明図である。
【０１０８】
ユーザ識別装置２でユーザが入室登録の操作を行うと、入室通知がユーザ識別装置２からサーバ５に送信される。この入室通知には、図１２（Ａ）に示すように、端末ＩＤ、ユーザＩＤ、状況情報、および時刻情報が含まれる。また、ユーザ識別装置２でユーザが退室登録の操作を行うと、退室通知がユーザ識別装置２からサーバ５に送信される。この退室通知には、図１２（Ｂ）に示すように、入室通知と同様に、端末ＩＤ、ユーザＩＤ、状況情報、および時刻情報が含まれる。
【０１０９】
ここで、状況情報は、入室および退室の別を表す情報であり、入室通知では「入室」となり、退室通知では「退室」となり、これにより、サーバ５が、入室および退室のいずれであるかを判別することができる。時刻情報は、入室通知では入室時刻となり、退室通知では退室時刻となる。
【０１１０】
次に、サーバ５に記憶される入退室管理テーブルについて説明する。図１３は、入退室管理テーブルの内容を示す説明図である。
【０１１１】
サーバ５では、入退室管理テーブルを用いて、ユーザが使用する端末１およびユーザの入退室状況を管理する。この入退室情報テーブルには、ユーザ識別装置２から受信した入室通知の情報および退室通知の情報に基づいて、端末ＩＤ、ユーザＩＤ、入室時刻および退室時刻が登録される。
【０１１２】
具体的には、ユーザ識別装置２から入室通知を受信すると、その入室通知に含まれる端末ＩＤ、ユーザＩＤ、および入室時刻を入退室管理テーブルに登録する。また、ユーザ識別装置２から退室通知を受信すると、その退室通知に含まれる端末ＩＤおよびユーザＩＤと一致する入退室レコードに、退室通知に含まれる退室時刻を登録する。
【０１１３】
次に、サーバ５で行われる退室みなし処理について説明する。図１４は、退室みなし処理前の入退室管理テーブル、入室通知、および退室みなし処理後の入退室管理テーブルの内容を示す説明図である。
【０１１４】
本実施形態では、ユーザが退室する際にユーザ識別装置２でユーザに退室登録の操作を行わせるが、ユーザが、端末１を返却したものの、ユーザ識別装置２で退室登録の操作を行わないまま退室することが考えられる。この場合、端末１が返却されているため、その端末１で別のユーザが入室登録の操作を行うことがあり、このとき、前回のユーザの退室時刻が未定であり、前回のユーザが端末１を使用している状態が継続しているため、１台の端末１を２人のユーザが使用する状態となる。
【０１１５】
そこで、本実施形態では、サーバ５において、ユーザが入室登録の操作を行った際に送信される入室通知に含まれる端末ＩＤを入退室管理テーブルと照合することで、前回のユーザの退室登録が正常に行われたか否か、すなわち、今回のユーザが入室登録の操作で選択した端末１を前回使用したユーザが適切に退室登録の操作を行ったか否かを判定する。そして、前回のユーザの退室登録が正常に行われていない場合には、前回のユーザについて退室みなし処理を行う。この退室みなし処理では、今回のユーザの入室時刻の直前の時刻に前回のユーザが退室したものとみなして、前回のユーザの退室時刻を入退室管理テーブルに登録する。
【０１１６】
図１４に示す例は、Terminal002の端末１を使用したUser007のユーザが退室登録の操作を行わずに退室した場合である。
【０１１７】
図１４（Ａ）に示すように、退室みなし処理前の入退室管理テーブルでは、Terminal002の端末１を使用したUser007のユーザの退室時刻が登録されていない状態となっている。ここで、ユーザ識別装置２において、User008のユーザがTerminal002の端末１で入室登録の操作を行うと、図１４（Ｂ）に示す入室通知がユーザ識別装置２からサーバ５に送信される。
【０１１８】
サーバ５では、入室通知に含まれるTerminal002の端末ＩＤを、図１４（Ａ）に示す入退室管理テーブルと照合することで、Terminal002の端末１を使用したUser007の人物が退室登録の操作を行わずに退室したものと判定し、User007の人物について退室みなし処理を行う。すなわち、図１４（Ｃ）に示すように、User008の人物の入室時刻（16:42:23）の直前（１秒前）の時刻（16:42:22）を、User007の人物の退室時刻として登録する。
【０１１９】
次に、入室時におけるユーザ識別装置２およびサーバ５の処理手順について説明する。図１５は、入室時におけるユーザ識別装置２およびサーバ５の処理手順を示すフロー図である。
【０１２０】
ユーザ識別装置２では、まず、登録制御部５１において、サーバ５から端末リスト情報およびユーザリスト情報を通信部４１で受信して（ＳＴ１１１）、入退室登録画面（図１０（Ａ）参照）に端末リスト８６およびユーザリスト８７を表示する（ＳＴ１１２）。
【０１２１】
次に、入退室登録画面に表示された端末リスト８６およびユーザリスト８７からユーザが端末ＩＤおよびユーザＩＤを選択するのに応じて、端末リスト８６およびユーザリスト８７の選択情報、すなわち、ユーザが選択した端末ＩＤおよびユーザＩＤを取得し（ＳＴ１１３）、また、ユーザが「入室」のボタンを操作するのに応じて、入室の選択情報を取得する（ＳＴ１１４）。そして、通知制御部５２において、端末ＩＤ、ユーザＩＤ、入室の選択情報、および時刻情報を含む入室通知を、通信部４１からサーバ５に送信する（ＳＴ１１５）。
【０１２２】
そして、サーバ５から送信される入室完了通知を通信部４１で受信すると（ＳＴ１１６）、処理を終了する。
【０１２３】
サーバ５では、まず、リスト提供部７１において、端末リスト情報およびユーザリスト情報を通信部６１からユーザ識別装置２に送信する（ＳＴ２１１）。
【０１２４】
次に、ユーザ識別装置２から送信される入室通知を通信部６１で受信すると（ＳＴ２１２）、入退室管理部７２において、入室通知に含まれる端末ＩＤを入退室管理テーブルと照合して、前回のユーザの退室登録が正常に行われたか否か、すなわち、今回のユーザが入室登録の操作で選択した端末ＩＤを前回使用したユーザが適切に退室登録の操作を行ったか否かを判定する（ＳＴ２１３）。
【０１２５】
ここで、前回のユーザの退室登録が正常に行われている場合には（ＳＴ２１３でＹｅｓ）、入室通知に含まれる端末ＩＤ、ユーザＩＤ、および入室時刻を入退室管理テーブルに登録する（ＳＴ２１５）。そして、入室完了通知を通信部６１からユーザ識別装置２に送信する（ＳＴ２１６）。
【０１２６】
一方、前回のユーザの退室登録が正常に行われていない場合には（ＳＴ２１３でＮｏ）、前回のユーザの退室みなし処理を行う（ＳＴ２１４）。すなわち、今回のユーザの入室時刻の直前の時刻（例えば１秒前）を前回のユーザの退室時刻として入退室管理テーブルに登録する。そして、入室完了通知を通信部６１からユーザ識別装置２に送信する（ＳＴ２１６）。
【０１２７】
次に、サーバ５で行われる入室修正処理について説明する。図１６は、入室修正処理の際にユーザ識別装置２に表示されるメッセージボックスおよび入力ボックスを示す説明図である。
【０１２８】
本実施形態では、ユーザが入室する際にユーザ識別装置２でユーザに入室登録の操作を行わせるが、ユーザが、ユーザ識別装置２で入室登録の操作を行わないまま、端末１を所持して入室する場合が考えられる。また、ユーザが入室登録の操作で端末ＩＤやユーザＩＤの選択を間違えることで、入室登録の内容に誤りがある場合が考えられる。
【０１２９】
この場合、ユーザが退室する際に、退室登録の操作に応じて送信される退室通知の情報と入退室管理テーブルの登録内容とが整合しない、すなわち、入室登録で入退室管理テーブルに登録された入退室レコードの中に、退室通知に含まれる端末ＩＤおよびユーザＩＤと一致する入退室レコードが存在しないため、そのままでは退室登録を受け付けることができない。そこで、入室登録を過去に遡ってやり直す必要がある。
【０１３０】
また、入室登録の操作で正しい端末ＩＤおよびユーザＩＤを選択したが、退室登録の操作で端末ＩＤまたはユーザＩＤの選択を間違えた場合にも、退室登録の操作で選択した端末ＩＤおよびユーザＩＤと入退室管理テーブルの登録内容とが整合しない状態となる。この場合、ユーザに退室登録の操作をやり直させる必要がある。
【０１３１】
そこで、本実施形態では、退室登録の操作に応じて送信される退室通知をユーザ識別装置２から受信すると、その退室通知の情報と入退室管理テーブルの登録内容とが整合するか否か、すなわち、退室通知に含まれる端末ＩＤおよびユーザＩＤと一致する入退室レコードが入退室管理テーブルにあるかを判定する。そして、退室通知の情報と入退室管理テーブルの登録内容とが整合しない場合には、図１６（Ａ）に示すように、入退室登録画面（図１０（Ａ）参照）上に、入室登録または退室登録に異常があることを表すメッセージボックス１０１が表示される。
【０１３２】
このメッセージボックス１０１には、ユーザが退室登録の操作で選択した端末ＩＤおよびユーザＩＤが表示される。ここで、ユーザが端末ＩＤおよびユーザＩＤの選択を間違えたことに気付くと、「キャンセル」のボタン１０３を操作する。これにより、入退室登録画面（図１０（Ａ）参照）に戻り、ユーザが端末ＩＤおよびユーザＩＤの選択をやり直す。
【０１３３】
一方、退室登録の操作で端末ＩＤまたはユーザＩＤの選択を間違えていない場合には、入室登録に異常がある、すなわち、入室登録の操作で端末ＩＤまたはユーザＩＤの選択を間違えたか、入室登録の操作を行わないまま入室したかである。この場合、「入室修正」のボタン１０２を操作する。これにより、図１６（Ｂ）に示すように、入力ボックス１０４が表示される。
【０１３４】
この入力ボックス１０４には、入室時刻入力部１０５が設けられている。この入室時刻入力部１０５に入室時刻（日時）をユーザが入力して、「入室」のボタン１０６を操作すると、ユーザが入力した入室時刻がサーバ５に送信され、サーバ５で入室修正処理が実行される。この入室修正処理では、ユーザが入力ボックス１０４で入力した入室時刻と、退室登録の際にユーザが入退室登録画面で選択した端末ＩＤおよびユーザＩＤとを、入退室管理テーブルに登録する。
【０１３５】
なお、入力ボックス１０４で「キャンセル」のボタン１０７を操作すると、入退室登録画面に戻る。
【０１３６】
このようにしてサーバ５で入退室管理テーブルに正しい入室情報を登録する入室修正処理が行われると、図１６（Ｃ）に示すように、入室修正処理が終了したことを表すメッセージボックス１０８が表示される。
【０１３７】
次に、退室時におけるユーザ識別装置２およびサーバ５の処理手順について説明する。図１７は、退室時におけるユーザ識別装置２およびサーバ５の処理手順を示す説明図である。
【０１３８】
ユーザ識別装置２では、まず、登録制御部５１において、サーバ５から端末リスト情報およびユーザリスト情報を通信部４１で受信して（ＳＴ１２１）、入退室登録画面（図１０（Ａ）参照）に端末リスト８６およびユーザリスト８７を表示する（ＳＴ１２２）。
【０１３９】
次に、入退室登録画面に表示された端末リスト８６およびユーザリスト８７からユーザが端末ＩＤおよびユーザＩＤを選択するのに応じて、端末リスト８６およびユーザリスト８７の選択情報、すなわち、ユーザが選択した端末ＩＤおよびユーザＩＤを取得し（ＳＴ１２３）、また、ユーザが「退室」のボタン８４を操作するのに応じて、退室の選択情報を取得する（ＳＴ１２４）。そして、通知制御部５２において、端末ＩＤ、ユーザＩＤ、退室の選択情報、および時刻情報を含む退室通知を、通信部４１からサーバ５に送信する（ＳＴ１２５）。
【０１４０】
次に、サーバ５から退室不可通知を通信部４１で受信すると（ＳＴ１２６でＹｅｓ）、登録制御部５１において、入室登録または退室登録に異常があることを表すメッセージボックス１０１（図１６（Ａ）参照）を表示部４４に表示する（ＳＴ１２７）。
【０１４１】
次に、このメッセージボックス１０１でユーザが入室修正を選択する、すなわち、「入室修正」のボタン１０２を操作したことを検知すると（ＳＴ１２８でＹｅｓ）、入力ボックス１０４（図１６（Ｂ）参照）を表示する（ＳＴ１２９）。そして、入力ボックス１０４でユーザが入室時刻を入力することで、入室時刻を取得すると、通知制御部５２において、入室時刻を含む入室修正通知を通信部４１からサーバ５に送信する（ＳＴ１３０）。
【０１４２】
そして、サーバ５から退室完了通知を通信部４１で受信すると（ＳＴ１３１）、処理を終了する。
【０１４３】
一方、サーバ５から退室不可通知を受信しない場合には（ＳＴ１２６でＮｏ）、サーバ５から退室完了通知を受信して（ＳＴ１３１）、処理を終了する。
【０１４４】
また、メッセージボックス１０１でユーザが入室修正を選択しない場合、すなわち、「キャンセル」のボタン１０３を操作した場合には（ＳＴ１２８でＮｏ）、入退室登録画面の表示（ＳＴ１２２）に戻り、端末ＩＤおよびユーザＩＤの選択をやり直す。
【０１４５】
サーバ５では、まず、リスト提供部７１において、端末リスト情報およびユーザリスト情報を通信部６１からユーザ識別装置２に送信する（ＳＴ２２１）。
【０１４６】
次に、ユーザ識別装置２から送信される退室通知を通信部６１で受信すると（ＳＴ２２２）、入退室管理部７２において、退室通知の情報と入退室管理テーブルの登録内容とが整合するか否か、すなわち、退室通知の情報（端末ＩＤおよびユーザＩＤ）と整合する入退室レコードが入退室管理テーブルにあるか否かを判定する（ＳＴ２２３）。
【０１４７】
ここで、退室通知の情報と入退室管理テーブルの登録内容とが整合しない場合には（ＳＴ２２３でＮｏ）、退室登録を受け付けることができないことを表す退室不可通知を通信部６１からユーザ識別装置２に送信する（ＳＴ２２４）。そして、入室時刻を含む入室修正通知を通信部６１で受信すると（ＳＴ２２５でＹｅｓ）、入室時刻を入退室管理テーブルに登録する入室修正処理を行う（ＳＴ２２６）。
【０１４８】
次に、退室通知の情報を入退室管理テーブルに登録する処理を行う（ＳＴ２２７）。そして、退室完了通知を通信部６１からユーザ識別装置２に送信する（ＳＴ２２８）。
【０１４９】
一方、入室時刻を含む入室修正通知を受信しない場合には（ＳＴ２２５でＮｏ）、退室通知の受信（ＳＴ２２２）に戻る。
【０１５０】
また、退室通知の情報と入退室管理テーブルの登録内容とが整合する場合には（ＳＴ２２３でＹｅｓ）、退室通知の情報を入退室管理テーブルに登録する処理を行う（ＳＴ２２７）。そして、退室完了通知を通信部６１からユーザ識別装置２に送信する（ＳＴ２２８）。
【０１５１】
次に、サーバ５の紐付け部７５で行われる紐付け処理について説明する。図１８は、紐付け処理後の端末位置管理テーブルを示す説明図である。
【０１５２】
サーバ５では、端末１から送信される測位結果通知を受信すると、その測位結果通知に含まれる端末ＩＤ、測位時刻、および位置情報を、１つの測位結果レコードとして端末位置管理テーブル（図８参照）に登録するが、この端末位置管理テーブルではユーザの位置は不明である。
【０１５３】
そこで、本実施形態では、サーバ５の紐付け部７５において、入退室管理テーブル（図１３参照）の登録内容に基づいて、端末位置管理テーブルの測位結果レコードの各々にユーザＩＤを紐付ける紐付け処理が行われる。
【０１５４】
この紐付け処理では、端末位置管理テーブルの注目する測位結果レコードの端末ＩＤおよび測位時刻と、入退室管理テーブルの入退室レコードの端末ＩＤおよび滞在期間（入室時刻から退室時刻までの期間）とを比較して、注目する測位結果レコードと整合する入退室レコードがあるか否かを判定する。このとき、測位結果レコードと入退室レコードとで端末ＩＤが一致し、かつ、測位結果レコードの測位時刻が、入退室レコードの滞在期間に含まれる場合に、測位結果レコードと入退室レコードとが整合するものと判定する。
【０１５５】
そして、注目する測位結果レコードと整合する入退室レコードがある場合には、その入退室レコードのユーザＩＤを、注目する測位結果レコードに対応するものとして取得して、端末位置管理テーブルにおいて注目する測位結果レコードの端末ＩＤを、取得したユーザＩＤに置き換える。
【０１５６】
図１８に示す例は、Terminal001の端末１にUser001のユーザが紐付けられた場合である。図８に示すように、紐付け処理前の端末位置管理テーブルでは、ＩＤの項目が全て端末ＩＤとなっているが、図１８に示すように、紐付け処理後の端末位置情報テーブルでは、Terminal001の端末ＩＤがUser001のユーザＩＤに置き換えられている。なお、Terminal002の端末１はユーザＩＤの紐付けが未了であるため、ＩＤの項目は端末ＩＤのままである。
【０１５７】
次に、サーバ５の紐付け部７５で行われる紐付け処理の手順について説明する。図１９は、紐付け処理の手順を示すフロー図である。
【０１５８】
サーバ５では、まず、端末位置管理テーブル（図８参照）の注目する測位結果レコードの端末ＩＤおよび測位時刻と、入退室管理テーブル（図１３参照）の入退室レコードの端末ＩＤおよび滞在期間（入室時刻から退室時刻までの期間）とを比較して、注目する測位結果レコードと整合する入退室レコードがあるか否か、つまり、測位結果レコードの測位時刻を含む滞在期間を有する入退室レコードがあるか否かを判定する（ＳＴ２３１）。
【０１５９】
ここで、注目する測位結果レコードと整合する入退室レコードがある場合には、その入退室レコードのユーザＩＤを、注目する測位結果レコードに対応するものとして取得する（ＳＴ２３２）。そして、端末位置管理テーブルにおいて注目する測位結果レコードの端末ＩＤを、取得したユーザＩＤに置き換える（ＳＴ２３３）。
【０１６０】
次に、対象とする全ての測位結果レコードの処理が終了したか否かを判定し（ＳＴ２３４）、全ての測位結果レコードの処理が終了していない場合には（ＳＴ２３４でＮｏ）、次の測位結果レコードの処理に進み、ＳＴ２３１以降の処理が繰り返され、全ての測位結果レコードの処理が終了すると（ＳＴ２３４でＹｅｓ）、紐付け処理を終了する。
【０１６１】
一方、注目する測位結果レコードと整合する入退室レコードがない場合には（ＳＴ２３１でＮｏ）、全ての測位結果レコードの終了判定（ＳＴ２３４）に進む。
【０１６２】
ここで、ユーザ識別装置２でユーザが入室登録の操作を行わないまま端末１を所持して入室した場合、端末１からサーバ５に測位結果通知が送信されて、その測位結果通知に対応する測位結果レコードが端末位置管理テーブルに登録されるが、そのユーザに対応する入退室レコードが入退室管理テーブルにはないため、整合判定（ＳＴ２３１）で、測位結果レコードと整合する入退室レコードがないと判定される。
【０１６３】
この場合、端末位置管理テーブルの測位結果レコードに対するユーザＩＤの紐付けは行われないが、本実施形態では、入室修正処理を行うことで、入室登録の操作を行わなかったユーザに関する入退室レコードが入退室管理テーブルに登録されるため、その後に行われる紐付け処理では、整合判定（ＳＴ２３１）で、測位結果レコードと整合する入退室レコードがあると判定される。
【０１６４】
また、入室登録の操作で端末ＩＤまたはユーザＩＤの選択を間違えた場合には、誤った紐付け処理が行われるが、入室修正処理の後に紐付け処理をやり直すようにすれば、正しいユーザＩＤを端末位置管理テーブルに登録することができる。
【０１６５】
なお、本実施形態では、端末位置管理テーブルの端末ＩＤをユーザＩＤに置き換えるようにしたが、端末ＩＤを残して、ユーザＩＤを追加するようにしてもよい。この場合は、置換情報を不要としてもよい。
【０１６６】
また、本実施形態では、端末位置管理テーブルに登録された複数の測位結果レコードに対する紐付け処理を、適宜なタイミングで一括して行うようにしたが、退室登録でユーザの滞在期間が確定したタイミングで、そのユーザに関する紐付け処理を実施するようにしてもよい。
【０１６７】
次に、サーバ５の分析処理部７６で行われる分析処理について説明する。図２０および図２１は、閲覧装置６に表示される画面を示す説明図である。
【０１６８】
サーバ５の分析処理部７６では、作業室内でのユーザの行動を管理者が確認するために、記憶部６３に蓄積されたユーザの位置情報および測位時刻に基づいて、ユーザの軌跡（動線）や、作業室内に設定された分析エリアの滞在頻度などに関する分析処理を行う。また、分析処理部７６では、分析処理に関する画面の表示情報を生成して閲覧装置６に送信する。これにより、分析処理に関する画面が閲覧装置６に表示される。
【０１６９】
分析処理部７６では、まず、図２０（Ａ）に示すように、分析条件を設定する分析条件設定画面を閲覧装置６に表示する。
【０１７０】
この分析条件設定画面には、建物名選択部１１１と、階数選択部１１２と、ユーザＩＤ選択部１１３と、が設けられている。建物名選択部１１１では、プルダウンメニューで建物名を管理者が選択する。階数選択部１１２では、プルダウンメニューで階数を管理者が選択する。ユーザＩＤ選択部１１３では、プルダウンメニューでユーザＩＤを管理者が選択する。また、分析条件設定画面には、ユーザＩＤ選択部１１３で複数のユーザを選択できるようにするためのチェックボックス１１４が設けられている。
【０１７１】
また、分析条件設定画面には、分析期間の開始日時および終了日時を入力する日時入力部１１５が設けられている。
【０１７２】
また、分析条件設定画面には、「軌跡表示」のボタン１１６と、「エリア設定」のボタン１１７と、「分析結果表示」のボタン１１８と、が設けられている。「軌跡表示」のボタン１１６を操作すると、図２０（Ｂ）に示す軌跡表示画面に遷移する。「エリア設定」のボタン１１７を操作すると、図２１（Ａ）に示すエリア設定画面に遷移する。「分析結果表示」のボタン１１８を操作すると、図２１（Ｂ）に示すエリア分析画面に遷移する。
【０１７３】
図２０（Ｂ）に示すように、軌跡表示画面では、作業室のレイアウトを表すマップ１２１上にユーザの軌跡１２２（動線）が表示される。このとき、サーバ５の分析処理部７６では、分析対象に設定されたユーザＩＤの各時刻の位置情報を端末位置管理テーブルから抽出して、その各時刻の位置情報に基づいて、マップ１２１上に軌跡１２２を描画する。また、軌跡表示画面には再生操作部１２３が設けられており、この再生操作部１２３を操作することで、時間の経過に応じて軌跡１２２が徐々に延びる動画の再生、停止、および一時停止などの操作を行うことができる。
【０１７４】
図２１（Ａ）に示すように、エリア設定画面には、作業室のレイアウトを表すマップ１２１が表示され、管理者が閲覧装置６の操作入力部（マウスやタッチパネル）を操作して、マップ１２１上に分析エリア１３１を設定する。図２１（Ａ）に示す例では、分析エリア１３１の端点を表すピン１３２（マーカ）が表示されており、操作入力部の操作で、このピン１３２を適宜な位置に配置することで、分析エリア１３１を設定することができる。
【０１７５】
図２１（Ｂ）に示すように、エリア分析画面には、分析条件表示部１４１が設けられている。この分析条件表示部１４１には、分析条件設定画面で設定した建物名、階数、ユーザＩＤ、および分析期間が表示される。また、エリア分析画面には、分析結果表示部１４２が設けられている。この分析結果表示部１４２には、分析結果として、全体および各分析エリアＡ〜Ｄの滞在頻度、すなわち、ユーザがどの分析エリアにどの程度滞在していたかを表すグラフが表示される。このとき、サーバ５の分析処理部７６では、分析対象に設定されたユーザＩＤの各時刻の位置情報を端末位置管理テーブルから抽出して、その各時刻の位置情報に基づいて、各分析エリアにおけるユーザの滞在頻度（滞在時間）を取得して、滞在頻度のグラフを描画する。
【０１７６】
以上のように、本出願において開示する技術の例示として、実施形態を説明した。しかしながら、本開示における技術は、これに限定されず、変更、置き換え、付加、省略などを行った実施形態にも適用できる。また、上記の実施形態で説明した各構成要素を組み合わせて、新たな実施形態とすることも可能である。
【０１７７】
例えば、前記の実施形態では、工場などの建物内の部屋に滞在する人物の位置情報を収集する例について説明したが、対象とする場所はこれに限定されるものではなく、例えばテーマパークなどの施設を対象として、施設内に滞在する人物の位置情報を収集するようにしてもよい。
【０１７８】
また、前記の実施形態では、ユーザが行う入室登録および退室登録の操作で、端末ＩＤおよびユーザＩＤを入力するようにしたが、端末１から端末リーダで端末ＩＤを読み取るとともに、社員証などのＩＣカードからカードリーダでユーザＩＤを読み取るようにしてもよい。
【０１７９】
また、前記の実施形態では、端末１において、ビーコン発信機３のビーコン信号に基づいて位置情報を取得する測位が行われるようにしたが、このような屋外測位に限定されるものではなく、ＧＰＳ（Global Positioning System）などの衛星測位システムを利用したものであってもよい。
【産業上の利用可能性】
【０１８０】
本発明に係る管理装置、位置情報収集システム、および位置情報収集方法は、測位用の端末装置を複数のユーザで共用する場合に、ユーザが自分の個人識別子を端末装置に入力する操作を行うことなく、ユーザの位置情報を収集することができる効果を有し、測位を行う端末装置をユーザに所持させて、対象エリアにおけるユーザの位置情報を収集する管理装置、位置情報収集システム、および位置情報収集方法などとして有用である。
【符号の説明】
【０１８１】
１  端末
２  ユーザ識別装置
３  ビーコン発信機
４  アクセスポイント
５  サーバ
４１  通信部
４２  制御部
４３  記憶部
４４  表示部
４５  操作入力部
６１  通信部
６２  制御部
６３  記憶部
【図１】
2018194517.tif 000003
【図２】
2018194517.tif 000004
【図３】
2018194517.tif 000005
【図４】
2018194517.tif 000006
【図５】
2018194517.tif 000007
【図６】
2018194517.tif 000008
【図７】
2018194517.tif 000009
【図８】
2018194517.tif 000010
【図９】
2018194517.tif 000011
【図１０】
2018194517.tif 000012
【図１１】
2018194517.tif 000013
【図１２】
2018194517.tif 000014
【図１３】
2018194517.tif 000015
【図１４】
2018194517.tif 000016
【図１５】
2018194517.tif 000017
【図１６】
2018194517.tif 000018
【図１７】
2018194517.tif 000019
【図１８】
2018194517.tif 000020
【図１９】
2018194517.tif 000021
【図２０】
2018194517.tif 000022
【図２１】
2018194517.tif 000023
【手続補正書】
【提出日】平成30年8月8日(2018.8.8)
【手続補正１】
【補正対象書類名】特許請求の範囲
【補正対象項目名】全文
【補正方法】変更
【補正の内容】
【特許請求の範囲】
【請求項１】
測位を行う端末装置をユーザに所持させて、対象エリアにおけるユーザの位置情報を収集する管理装置であって、
前記端末装置、およびユーザを識別するユーザ識別装置と通信を行う通信部と、
制御部と、
を備え、
前記通信部は、
ユーザが前記対象エリアに入室する際に、前記ユーザ識別装置から送信される端末識別子、個人識別子および入室時刻を受信し、
ユーザが前記対象エリアから退室する際に、前記ユーザ識別装置から送信される端末識別子、個人識別子および退室時刻を受信し、
前記端末装置から送信される位置情報、測位時刻および端末識別子を受信し、
前記制御部は、
前記入室時刻および前記退室時刻に基づいて、前記測位時刻において前記端末装置を所持するユーザを特定して、測位時刻ごとの前記位置情報にユーザを紐付けて管理することを特徴とする管理装置。
【請求項２】
測位を行う端末装置をユーザに所持させて、対象エリアにおけるユーザの位置情報を収集する管理装置であって、
前記端末装置、およびユーザを識別するユーザ識別装置と通信を行う通信部と、
制御部と、
を備え、
前記通信部は、
ユーザが前記対象エリアに入室する際に、前記ユーザ識別装置から送信される端末識別子、個人識別子および入室時刻を受信し、
前記端末装置から送信される位置情報、測位時刻および端末識別子を受信し、
前記制御部は、
入室時刻を受信した際に、同一の前記端末装置を使用した前回のユーザの退室時刻が未受信である場合には、今回のユーザの入室時刻より前に前回のユーザが退室したものとみなして、前回のユーザの退室時刻を設定し、
前記入室時刻および前記退室時刻に基づいて、前記測位時刻において前記端末装置を所持するユーザを特定して、測位時刻ごとの前記位置情報にユーザを紐付けて管理することを特徴とする管理装置。
【請求項３】
前記制御部は、
退室時刻を受信した際に、その退室時刻の端末識別子および個人識別子と、記憶済みの入室時刻の端末識別子および個人識別子と、が整合しない場合には、前記ユーザ識別装置に異常情報を送信することを特徴とする請求項１または請求項２に記載の管理装置。
【請求項４】
ユーザの測位時刻ごとの位置情報を記憶する記憶部と、
前記記憶部に蓄積されたユーザの位置情報および測位時刻に基づいて、ユーザの軌跡や、所定エリアの滞在頻度を分析する分析処理部と、
を備えることを特徴とする請求項１から請求項３のいずれかに記載の管理装置。
【請求項５】
測位を行う端末装置をユーザに所持させて、対象エリアにおけるユーザの位置情報を収集する位置情報収集システムであって、
前記端末装置と、ユーザ識別装置と、管理装置と、を備え、
前記ユーザ識別装置は、
ユーザが前記対象エリアに入室する際に、端末識別子、個人識別子および入室時刻を取得し、ユーザが前記対象エリアから退室する際に、端末識別子、個人識別子および退室時刻を取得する制御部と、
入室時に取得した端末識別子、個人識別子および入室時刻と、退室時に取得した端末識別子、個人識別子および退室時刻を前記管理装置に送信する通信部と、
を備え、
前記管理装置は、
前記ユーザ識別装置から送信される入室時の端末識別子、個人識別子および入室時刻と、退室時の端末識別子、個人識別子および退室時刻を受信し、前記端末装置から送信される位置情報、測位時刻および端末識別子を受信する通信部と、
前記入室時刻および前記退室時刻に基づいて、前記測位時刻において前記端末装置を所持するユーザを特定して、測位時刻ごとの前記位置情報にユーザを紐付けて管理する制御部と、
を備えることを特徴とする位置情報収集システム。
【請求項６】
測位を行う端末装置をユーザに所持させて、対象エリアにおけるユーザの位置情報を収集する位置情報収集システムであって、
前記端末装置と、ユーザ識別装置と、管理装置と、を備え、
前記ユーザ識別装置は、
ユーザが前記対象エリアに入室する際に、端末識別子、個人識別子および入室時刻を取得する制御部と、
入室時に取得した端末識別子、個人識別子および入室時刻を前記管理装置に送信する通信部と、
を備え、
前記管理装置は、
前記ユーザ識別装置から送信される端末識別子、個人識別子および入室時刻を受信し、前記端末装置から送信される位置情報、測位時刻および端末識別子を受信する通信部と、
入室時刻を受信した際に、同一の前記端末装置を使用した前回のユーザの退室時刻が未受信である場合には、今回のユーザの入室時刻より前に前回のユーザが退室したものとみなして、前回のユーザの退室時刻を設定し、前記入室時刻および前記退室時刻に基づいて、前記測位時刻において前記端末装置を所持するユーザを特定して、測位時刻ごとの前記位置情報にユーザを紐付けて管理する制御部と、
を備えることを特徴とする位置情報収集システム。
【請求項７】
測位を行う端末装置をユーザに所持させて、対象エリアにおけるユーザの位置情報を収集する位置情報収集方法であって、
ユーザ識別装置において、
ユーザが前記対象エリアに入室する際に、端末識別子、個人識別子および入室時刻を管理装置に送信し、
ユーザが前記対象エリアから退室する際に、端末識別子、個人識別子および退室時刻を前記管理装置に送信し、
前記管理装置において、
前記ユーザ識別装置から送信される入室時の端末識別子、個人識別子および入室時刻と、退室時の端末識別子、個人識別子および退室時刻を受信し、
前記端末装置から送信される位置情報、測位時刻および端末識別子を受信し、
前記入室時刻および前記退室時刻に基づいて、前記測位時刻において前記端末装置を所持するユーザを特定して、測位時刻ごとの前記位置情報にユーザを紐付けることを特徴とする位置情報収集方法。
【請求項８】
測位を行う端末装置をユーザに所持させて、対象エリアにおけるユーザの位置情報を収集する位置情報収集方法であって、
ユーザ識別装置において、
ユーザが前記対象エリアに入室する際に、端末識別子、個人識別子および入室時刻を管理装置に送信し、
前記管理装置において、
前記ユーザ識別装置から送信される端末識別子、個人識別子および入室時刻を受信し、
入室時刻を受信した際に、同一の前記端末装置を使用した前回のユーザの退室時刻が未受信である場合には、今回のユーザの入室時刻より前に前回のユーザが退室したものとみなして、前回のユーザの退室時刻を設定し、
前記端末装置から送信される位置情報、測位時刻および端末識別子を受信し、
前記入室時刻および前記退室時刻に基づいて、前記測位時刻において前記端末装置を所持するユーザを特定して、測位時刻ごとの前記位置情報にユーザを紐付けることを特徴とする位置情報収集方法。
【手続補正２】
【補正対象書類名】明細書
【補正対象項目名】０００８
【補正方法】変更
【補正の内容】
【０００８】
本発明の管理装置は、測位を行う端末装置をユーザに所持させて、対象エリアにおけるユーザの位置情報を収集する管理装置であって、前記端末装置、およびユーザを識別するユーザ識別装置と通信を行う通信部と、制御部と、を備え、前記通信部は、ユーザが前記対象エリアに入室する際に、前記ユーザ識別装置から送信される端末識別子、個人識別子および入室時刻を受信し、ユーザが前記対象エリアから退室する際に、前記ユーザ識別装置から送信される端末識別子、個人識別子および退室時刻を受信し、前記端末装置から送信される位置情報、測位時刻および端末識別子を受信し、前記制御部は、前記入室時刻および前記退室時刻に基づいて、前記測位時刻において前記端末装置を所持するユーザを特定して、測位時刻ごとの前記位置情報にユーザを紐付けて管理する構成とする。
【手続補正３】
【補正対象書類名】明細書
【補正対象項目名】０００９
【補正方法】変更
【補正の内容】
【０００９】
また、本発明の位置情報収集システムは、測位を行う端末装置をユーザに所持させて、対象エリアにおけるユーザの位置情報を収集する位置情報収集システムであって、前記端末装置と、ユーザ識別装置と、管理装置と、を備え、前記ユーザ識別装置は、ユーザが前記対象エリアに入室する際に、端末識別子、個人識別子および入室時刻を取得し、ユーザが前記対象エリアから退室する際に、端末識別子、個人識別子および退室時刻を取得する制御部と、入室時に取得した端末識別子、個人識別子および入室時刻と、退室時に取得した端末識別子、個人識別子および退室時刻を前記管理装置に送信する通信部と、を備え、前記管理装置は、前記ユーザ識別装置から送信される入室時の端末識別子、個人識別子および入室時刻と、退室時の端末識別子、個人識別子および退室時刻を受信し、前記端末装置から送信される位置情報、測位時刻および端末識別子を受信する通信部と、前記入室時刻および前記退室時刻に基づいて、前記測位時刻において前記端末装置を所持するユーザを特定して、測位時刻ごとの前記位置情報にユーザを紐付けて管理する制御部と、を備える構成とする。
【手続補正４】
【補正対象書類名】明細書
【補正対象項目名】００１０
【補正方法】変更
【補正の内容】
【００１０】
また、本発明の位置情報収集方法は、測位を行う端末装置をユーザに所持させて、対象エリアにおけるユーザの位置情報を収集する位置情報収集方法であって、ユーザ識別装置において、ユーザが前記対象エリアに入室する際に、端末識別子、個人識別子および入室時刻を管理装置に送信し、ユーザが前記対象エリアから退室する際に、端末識別子、個人識別子および退室時刻を前記管理装置に送信し、前記管理装置において、前記ユーザ識別装置から送信される入室時の端末識別子、個人識別子および入室時刻と、退室時の端末識別子、個人識別子および退室時刻を受信し、前記端末装置から送信される位置情報、測位時刻および端末識別子を受信し、前記入室時刻および前記退室時刻に基づいて、前記測位時刻において前記端末装置を所持するユーザを特定して、測位時刻ごとの前記位置情報にユーザを紐付ける構成とする。
【手続補正５】
【補正対象書類名】明細書
【補正対象項目名】００１３
【補正方法】変更
【補正の内容】
【００１３】
前記課題を解決するためになされた第１の発明は、測位を行う端末装置をユーザに所持させて、対象エリアにおけるユーザの位置情報を収集する管理装置であって、前記端末装置、およびユーザを識別するユーザ識別装置と通信を行う通信部と、制御部と、を備え、前記通信部は、ユーザが前記対象エリアに入室する際に、前記ユーザ識別装置から送信される端末識別子、個人識別子および入室時刻を受信し、ユーザが前記対象エリアから退室する際に、前記ユーザ識別装置から送信される端末識別子、個人識別子および退室時刻を受信し、前記端末装置から送信される位置情報、測位時刻および端末識別子を受信し、前記制御部は、前記入室時刻および前記退室時刻に基づいて、前記測位時刻において前記端末装置を所持するユーザを特定して、測位時刻ごとの前記位置情報にユーザを紐付けて管理する構成とする。
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】変更
【補正の内容】
【００１７】
また、第２の発明は、測位を行う端末装置をユーザに所持させて、対象エリアにおけるユーザの位置情報を収集する管理装置であって、前記端末装置、およびユーザを識別するユーザ識別装置と通信を行う通信部と、制御部と、を備え、前記通信部は、ユーザが前記対象エリアに入室する際に、前記ユーザ識別装置から送信される端末識別子、個人識別子および入室時刻を受信し、前記端末装置から送信される位置情報、測位時刻および端末識別子を受信し、前記制御部は、入室時刻を受信した際に、同一の前記端末装置を使用した前回のユーザの退室時刻が未受信である場合には、今回のユーザの入室時刻より前に前回のユーザが退室したものとみなして、前回のユーザの退室時刻を設定し、前記入室時刻および前記退室時刻に基づいて、前記測位時刻において前記端末装置を所持するユーザを特定して、測位時刻ごとの前記位置情報にユーザを紐付けて管理する構成とする。
【手続補正９】
【補正対象書類名】明細書
【補正対象項目名】００１９
【補正方法】変更
【補正の内容】
【００１９】
また、第３の発明は、前記制御部は、退室時刻を受信した際に、その退室時刻の端末識別子および個人識別子と、記憶済みの入室時刻の端末識別子および個人識別子と、が整合しない場合には、前記ユーザ識別装置に異常情報を送信する構成とする。
【手続補正１０】
【補正対象書類名】明細書
【補正対象項目名】００２１
【補正方法】変更
【補正の内容】
【００２１】
また、第４の発明は、ユーザの測位時刻ごとの位置情報を記憶する記憶部と、前記記憶部に蓄積されたユーザの位置情報および測位時刻に基づいて、ユーザの軌跡や、所定エリアの滞在頻度を分析する分析処理部と、を備える構成とする。
【手続補正１１】
【補正対象書類名】明細書
【補正対象項目名】００２３
【補正方法】変更
【補正の内容】
【００２３】
また、第５の発明は、測位を行う端末装置をユーザに所持させて、対象エリアにおけるユーザの位置情報を収集する位置情報収集システムであって、前記端末装置と、ユーザ識別装置と、管理装置と、を備え、前記ユーザ識別装置は、ユーザが前記対象エリアに入室する際に、端末識別子、個人識別子および入室時刻を取得し、ユーザが前記対象エリアから退室する際に、端末識別子、個人識別子および退室時刻を取得する制御部と、入室時に取得した端末識別子、個人識別子および入室時刻と、退室時に取得した端末識別子、個人識別子および退室時刻を前記管理装置に送信する通信部と、を備え、前記管理装置は、前記ユーザ識別装置から送信される入室時の端末識別子、個人識別子および入室時刻と、退室時の端末識別子、個人識別子および退室時刻を受信し、前記端末装置から送信される位置情報、測位時刻および端末識別子を受信する通信部と、前記入室時刻および前記退室時刻に基づいて、前記測位時刻において前記端末装置を所持するユーザを特定して、測位時刻ごとの前記位置情報にユーザを紐付けて管理する制御部と、を備える構成とする。
【手続補正１２】
【補正対象書類名】明細書
【補正対象項目名】００２５
【補正方法】変更
【補正の内容】
【００２５】
また、第６の発明は、測位を行う端末装置をユーザに所持させて、対象エリアにおけるユーザの位置情報を収集する位置情報収集システムであって、前記端末装置と、ユーザ識別装置と、管理装置と、を備え、前記ユーザ識別装置は、ユーザが前記対象エリアに入室する際に、端末識別子、個人識別子および入室時刻を取得する制御部と、入室時に取得した端末識別子、個人識別子および入室時刻を前記管理装置に送信する通信部と、を備え、前記管理装置は、前記ユーザ識別装置から送信される端末識別子、個人識別子および入室時刻を受信し、前記端末装置から送信される位置情報、測位時刻および端末識別子を受信する通信部と、入室時刻を受信した際に、同一の前記端末装置を使用した前回のユーザの退室時刻が未受信である場合には、今回のユーザの入室時刻より前に前回のユーザが退室したものとみなして、前回のユーザの退室時刻を設定し、前記入室時刻および前記退室時刻に基づいて、前記測位時刻において前記端末装置を所持するユーザを特定して、測位時刻ごとの前記位置情報にユーザを紐付けて管理する制御部と、を備える構成とする。
【手続補正１３】
【補正対象書類名】明細書
【補正対象項目名】００２６
【補正方法】変更
【補正の内容】
【００２６】
これによると、同一の端末装置を前回使用したユーザの退室時刻が不明な場合でも、今回のユーザの入室を受け付けることができる。
【手続補正１４】
【補正対象書類名】明細書
【補正対象項目名】００２７
【補正方法】変更
【補正の内容】
【００２７】
また、第７の発明は、測位を行う端末装置をユーザに所持させて、対象エリアにおけるユーザの位置情報を収集する位置情報収集方法であって、ユーザ識別装置において、ユーザが前記対象エリアに入室する際に、端末識別子、個人識別子および入室時刻を管理装置に送信し、ユーザが前記対象エリアから退室する際に、端末識別子、個人識別子および退室時刻を前記管理装置に送信し、前記管理装置において、前記ユーザ識別装置から送信される入室時の端末識別子、個人識別子および入室時刻と、退室時の端末識別子、個人識別子および退室時刻を受信し、前記端末装置から送信される位置情報、測位時刻および端末識別子を受信し、前記入室時刻および前記退室時刻に基づいて、前記測位時刻において前記端末装置を所持するユーザを特定して、測位時刻ごとの前記位置情報にユーザを紐付ける構成とする。
【手続補正１５】
【補正対象書類名】明細書
【補正対象項目名】００２９
【補正方法】変更
【補正の内容】
【００２９】
また、第８の発明は、測位を行う端末装置をユーザに所持させて、対象エリアにおけるユーザの位置情報を収集する位置情報収集方法であって、ユーザ識別装置において、ユーザが前記対象エリアに入室する際に、端末識別子、個人識別子および入室時刻を管理装置に送信し、前記管理装置において、前記ユーザ識別装置から送信される端末識別子、個人識別子および入室時刻を受信し、入室時刻を受信した際に、同一の前記端末装置を使用した前回のユーザの退室時刻が未受信である場合には、今回のユーザの入室時刻より前に前回のユーザが退室したものとみなして、前回のユーザの退室時刻を設定し、前記端末装置から送信される位置情報、測位時刻および端末識別子を受信し、前記入室時刻および前記退室時刻に基づいて、前記測位時刻において前記端末装置を所持するユーザを特定して、測位時刻ごとの前記位置情報にユーザを紐付ける構成とする。
【手続補正１６】
【補正対象書類名】明細書
【補正対象項目名】００３０
【補正方法】変更
【補正の内容】
【００３０】
これによると、同一の端末装置を前回使用したユーザの退室時刻が不明な場合でも、今回のユーザの入室を受け付けることができる。